(57)【要約】      （修正有）【課題】乗客がエスカレータに乗り込むときに転倒の回避に作用する転倒防止装置を提供する。【解決手段】エスカレータ用転倒防止装置は、エスカレータの乗込口１５の床板２２の前方にステップの踏み板６の全面が現れる時点を検出するステップ位置計測装置と、踏み板の全面が現れる時点毎に音を発する安全促進報知装置と、を備える。さらに、安全促進報知装置は、さらに踏み板の全面が現れる時点毎に光を発し、エスカレータの乗込口の床板上にエスカレータの進む方向に対する踏み板の幅と同じ間隔に描かれ、安全促進報知装置から発せられた光により蛍光を発するエスカレータの進む方向に垂直な複数の蛍光線４を備える。【選択図】図３
2006327808.tif 000002
【特許請求の範囲】
【請求項１】
エスカレータの乗込口の床板の前方にステップの踏み板の全面が現れる時点を検出するステップ位置計測装置と、
上記踏み板の全面が現れる時点毎に音を発する安全促進報知装置と、
を備えることを特徴とするエスカレータ用転倒防止装置。
【請求項２】
上記安全促進報知装置は、さらに上記踏み板の全面が現れる時点毎に光を発し、
上記エスカレータの乗込口の床板上に上記エスカレータの進む方向に対する上記踏み板の幅と同じ間隔に描かれ、上記安全促進報知装置から発せられた光により蛍光を発する上記エスカレータの進む方向に垂直な複数の蛍光線を備えることを特徴とする請求項１に記載するエスカレータ用転倒防止装置。
【発明の詳細な説明】
【技術分野】
【０００１】
この発明は、人がエスカレータに乗り込むときに起こる転倒の危険性を回避するエスカレータ用転倒防止装置に関する。
【背景技術】
【０００２】
従来、エスカレータに乗り込んだ人が転倒しないように種々の対策が提案されている。例えば、乗客コンベアの踏み板の横幅の中央よりも左右いずれかの外側位置の凹凸溝内で、その横幅のおおよそ１／３の横幅範囲内に足型マークなどの着色模様を付した表示体を配設し、かつ、この表示体に近い側の上方に、この表示体が意味する文字やマークを表示する表示器を設ける（例えば、特許文献１参照）。
【０００３】
また、モータの所定値以上の負荷を検出する検出部と、モータの出力を可変とするインバータ部と、検出部でモータの所定値以上の負荷を検出したときインバータ部に制御指令を出力する制御部とを備え、制御指令に応じてステップが定格速度より低速度で走行するようにする。また、乗降口のいずれかが混雑していることを報知する報知部を設け、検出部でモータの所定値以上の負荷を検出したとき、制御部より報知部へ報知指令を出力する（例えば、特許文献２参照）。
【０００４】
また、電力変換器により運転速度を可変とし、時間設定回路で低速運転を少なくとも一階床分連続するように制御するように構成し、高齢者や身体に障害のある方が低速運転になってから安全に乗り込むことができ、また、低速運転している状態で安全に降りることができる（例えば、特許文献３参照）。
【０００５】
【特許文献１】特開２００２−３１６７８５号公報
【特許文献２】特開２００２−３０２３７３号公報
【特許文献３】特開２０００−１９８６５３号公報
【発明の開示】
【発明が解決しようとする課題】
【０００６】
しかし、乗り込む人間を検出したり、または乗り込む人間からの操作に基づき報知指令を出力したり、低速に変更したりすることは、乗降客数の多い駅などでは、目立った効果が期待できないという問題がある。
また、設置スペースが限られている駅などに設置されているエスカレータは、乗客が乗り込んでからステップが上昇を始めるまでのステップ水平移動領域の長さが短くて、乗客が２つのステップを跨るように足を載せていると、先に進むステップだけが上昇して段差が生じるので、段差が生じることを認識して足の載せる位置を調整しないと体の重心がずれて、転倒に至る危険性があるという問題がある。
【０００７】
この発明の目的は、乗客がエスカレータに乗り込むときに転倒の回避に作用する転倒防止装置を提供することである。
【課題を解決するための手段】
【０００８】
この発明に係わるエスカレータ用転倒防止装置は、エスカレータの乗込口の床板の前方にステップの踏み板の全面が現れる時点を検出するステップ位置計測装置と、上記踏み板の全面が現れる時点毎に音を発する安全促進報知装置と、を備える。
【発明の効果】
【０００９】
この発明に係わるエスカレータ用転倒防止装置の効果は、踏み板の全面が現れる時点で乗り込む人に向けて鳴らされる音が歩を進めるときのリズムとして作用し、また、踏み板の幅と同じ間隔に描かれた蛍光線に従って進むことができるので、人は全面が現れた踏み板の中央に足を載せて乗り込むことができ、ステップが上昇を開始しても段差に足が載っかっていないので転倒の危険性がない。
【発明を実施するための最良の形態】
【００１０】
図１は、この発明に係わるエスカレータ用転倒防止装置のブロック図である。図２は、ステップ位置計測装置が配設されたトラス内の様子を示す図である。図３は、安全促進報知装置のスピーカおよび発光器が作動している様子を示す図である。図４は、報知指令、発音、発光のタイミングを示す図である。
【００１１】
この発明に係わるエスカレータ用転倒防止装置１は、図１に示すように、エスカレータの乗込口の床板の前方にステップの踏み板の全面が現れる時点を検出するステップ位置計測装置２、踏み板の全面が現れる時点毎に音および光を発する安全促進報知装置３、エスカレータの乗込口の床板上に描かれた蛍光線４を備える。
【００１２】
ステップ位置計測装置２は、図２に示すように、踏み板６が下方に面している位置から上方に面している位置にステップ７が反転しながら移動するステップ反転部に配設され、反転する際に先行するステップ７ａと後続するステップ７ｂとの間に形成される隙間８に向けて光を発する投光器９、隙間８を透過した光を受光する受光器１０、受光器１０が光を受光したときに発する信号に基づいて安全促進報知装置３に報知指令を送る光電装置１１を備える。
【００１３】
安全促進報知装置３は、図３に示すように、乗込口１５の左右両側の移動手摺り入込口１６ａ、１６ｂに乗込口１５に対して乗り込む方向と反対の方向に向いたスピーカ１７、乗込口１５の左右両側の移動手摺り入込口１６ａ、１６ｂに乗込口１５に対して乗り込む方向と反対の方向に光を発する発光器１８、ステップ位置計測装置２からの報知指令に基づいてスピーカ１７と発光器１８とを駆動する制御装置１９を備える。
スピーカ１７から発音される音は、例えばドンドン、イッチニッイッチニッなどリズムがとりやすい音節が好ましい。
【００１４】
蛍光線４は、図３に示すように、乗込口１５に面する床板２２上に蛍光材料を用いて所定の間隔Ｗに描かれた複数の線である。そして、蛍光線４は、エスカレータ２３の進む方向（図３に示す矢印の方向）に垂直であり、かつ、乗込口１５から始まってエスカレータ２３の進む方向と反対方向に向かってエスカレータ２３の進む方向に対する踏み板６の幅Ｗと同じ間隔に描かれている。この蛍光線４は、発光器１８から発せられる光が照明されると蛍光を発し、乗り込む人にとっては浮き上がったように見える。
【００１５】
次に、この発明に係わるエスカレータ用転倒防止装置１の動作について説明する。
エスカレータ２３が稼動しているときには、図示しない駆動機の出力が図示しない踏段チェーンに伝達されて、図２に示すように、ステップ反転部に差し掛かったステップ７が反転する。そして、先行のステップ７ａと後続のステップ７ｂとの間に隙間８ができるので、ステップ位置計測装置２から報知指令が発せられる。この報知指令は、エスカレータの乗込口１５の床板２２の前方にステップ７の踏み板６の全面が現れる時点と同期している。そして、ステップ７の移動速度が一定に制御されていると、図４に示すように報知指令は一定の周期で発せられる。
【００１６】
一方、一定の周期の報知指令が入力されている安全促進報知装置３では、図４に示すように、報知指令と同期した一定の周期の音がスピーカ１７から鳴らされるとともに同じ一定の周期で発光器１８から発光される。それにともなって、蛍光線４が一定の周期で蛍光を発する。
【００１７】
次に、この発明に係わるエスカレータ用転倒防止装置１の転倒防止への作用について説明する。
人は歩いているときに例えば行進曲のようなリズミカルな曲が聞こえてくると、曲のリズムに合わせて歩を進める傾向が見られる。そして、乗込口１５に向かって歩いている人に対して一定の周期の音、すなわちリズムの曲が流されているので、この人はこのリズムに合わせて歩を進め、ステップ７への乗り込みもこのリズムで行う。このステップ７に乗り込む時点では、ステップ７の踏み板６の全面が現れているので、足の裏全面を１つの踏み板６上に載せることができる。
【００１８】
また、人は規則正しい印が地面などに付けられていると、その印を追って歩く傾向が見られる。そして、乗込口１５に向かう床板２２にはエスカレータ２３の進む方向に対する踏み板６の幅と同じ間隔で蛍光線４が描かれているので、乗り込む人はその線上を踏んで歩を進め、そのままそれまでの歩幅でステップ７に乗り込む。このステップ７に乗り込む時点では、ステップ７の踏み板６の全面が現れ、踏み板６の中央が直近の蛍光線４からエスカレータの進む方向に対する踏み板６の幅だけ離間しているので、足の裏の中心が踏み板６の中央に位置するように足が踏み板６に載せられる。
【００１９】
このようなエスカレータ用転倒防止装置１は、踏み板６の全面が現れる時点で乗り込む人に向けて鳴らされる音が歩を進めるときのリズムとして作用するので、乗り込む人は、全面が現れた踏み板６の中央に足を載せて乗り込むことができ、ステップ７が上昇を開始しても段差に足が掛からないので転倒の危険性がない。
また、踏み板６の幅と同じ間隔に描かれた複数の蛍光線４に従って進むことができるので、人は全面が現れた踏み板６の中央に足を載せて乗り込むことができ、ステップ７が上昇を開始しても段差に足が載っかっていないので転倒の危険性がない。
また、乗り込む人で混雑しており前が見えなくても、手前に描かれた蛍光線４を目安に歩を進めて行けば、乗り込むときには全面が現れた踏み板６の中央に足を載せて乗り込むことができる。
【００２０】
なお、スピーカ１７、発光器１８を移動手摺り入込口１６に配置しているが、配置する場所としてこれに限るものではない。
【図面の簡単な説明】
【００２１】
【図１】この発明に係わるエスカレータ用転倒防止装置のブロック図である。
【図２】ステップ位置計測装置が配設されたトラス内の様子を示す図である。
【図３】安全促進報知装置のスピーカおよび発光器が作動している様子を示す図である。
【図４】報知指令、発音、発光のタイミングを示す図である。
【符号の説明】
【００２２】
１  エスカレータ用転倒防止装置、２  ステップ位置計測装置、３  安全促進報知装置、４  蛍光線、６  踏み板、７  ステップ、８  隙間、９  投光器、１０  受光器、１１  光電装置、１５  乗込口、１６ａ、１６ｂ  移動手摺り入込口、１７  スピーカ、１８  発光器、１９  制御装置、２２  床板、２３  エスカレータ。
【図１】
2006327808.tif 000003
【図２】
2006327808.tif 000004
【図３】
2006327808.tif 000005
【図４】
2006327808.tif 000006